(57)【要約】【課題】下部構造物と上部構造物との間から免震装置を除去することができなくなる虞を回避でき、しかも、免震装置の上部及び下部のフランジにねじ孔を設ける等の格別な細工を加えなくても、既存の免震装置を下部構造物と上部構造物との間から除去することができ又はそれらの間に新たな免震装置を設置することができる方法を提供すること。【解決手段】免震構造物１では、下部構造物２と上部構造物３との間に免震装置４が所定間隔をもって多数個配置されており、免震装置４により、下部構造物２に対して上部構造物３が支承されて、下部構造物２の地震等の振動に対して上部構造物３が免震されるようになっており、免震装置４は、その冷却により下部構造物２と上部構造物３との間から除去される。【選択図】図１
2016084696.tif 000002
【特許請求の範囲】
【請求項１】
弾性板と剛性板とが交互に積層された積層体を有していると共に下部構造物に対して上部構造物を支承している免震装置を当該下部構造物と上部構造物との間から除去する方法であって、下部構造物と上部構造物との間にジャッキを設置する一方、積層体を冷却し、このジャッキの設置と積層体の冷却とで上部構造物と免震装置との間に隙間が形成されるようにして、その後、下部構造物と上部構造物との間から免震装置を除去する方法。
【請求項２】
少なくとも積層体をジャケットにより覆って、この積層体とジャケットとの間に冷却空気を供給して積層体を冷却する請求項１に記載の下部構造物と上部構造物との間から免震装置を除去する方法。
【請求項３】
免震装置には、更に中央部に円柱状の鉛又は錫が配されている請求項１又は２に記載の下部構造物と上部構造物との間から免震装置を除去する方法。
【請求項４】
請求項１から３のいずれか一項に記載の方法で免震装置が除去された下部構造物と上部構造物との間に、当該上部構造物との間に隙間が形成されるように予め冷却されていると共に弾性板と剛性板とが交互に積層された積層体を有した新たな免震装置を配置し、この新たな免震装置と上部構造物との間の隙間の解消後に、下部構造物と上部構造物との間からジャッキを除去する、下部構造物と上部構造物との間に新たな免震装置を再設置する方法。
【発明の詳細な説明】
【技術分野】
【０００１】
本発明は、弾性板と剛性板とが交互に積層されてなる免震装置を基礎、橋脚等の下部構造物とビルを含む建物、橋梁等の上部構造物との間から除去する方法又はこれらの間に新たな免震装置を設置する方法に関する。
【背景技術】
【０００２】
ゴム等の弾性板と金属板等の剛性板とが交互に積層されてなる免震装置、場合により、更にその中央部に円柱状の鉛部材が配されている免震装置は、下部構造物としての例えば基礎と上部構造物としての例えば建物との間に設置されて、基礎の地震エネルギの建物への伝達及び地震による建物の振動を効果的に低減し、建物の倒壊を防止するようになっている。
【０００３】
この種の免震装置は、ゴム等の弾性板を使用しているが、ゴム材料の熱老化促進試験や耐オゾン試験等の結果から、免震装置の耐用年数は上部構造物よりも長いことが確認でき、免震装置の交換に関しては特段必要ないものの、自然災害等の要因等により損傷を受けた際には交換する必要が生じる場合がある。
【０００４】
そこで、上部構造物の床、壁等に亀裂を生じさせることなく、しかも安全性に優れかつ容易に免震装置を下部構造物と上部構造物との間から除去することができ又はそれらの間に新たな免震装置を設置することができる方法が提案されている（特許文献１）。
【０００５】
また、免震用積層ゴムの上部及び下部フランジに設けた圧縮ボルトを圧縮ナットを使用して回転させ免震用積層ゴムを圧縮し、免震用積層ゴムと上部基礎との間に空間を設けて免震用積層ゴムの取り出し、続いて圧縮ボルトにより圧縮された新たな免震用積層ゴムを配置し、圧縮を解除し、新たな免震用積層ゴムを取り付ける方法も既に提案されている（特許文献２）。
【先行技術文献】
【特許文献】
【０００６】
【特許文献１】特開平８−２９１６４０号公報
【特許文献２】特開２０１１−１３２７６９号公報
【発明の概要】
【発明が解決しようとする課題】
【０００７】
ところで、特許文献１で提案されている方法は、上部構造物の床、壁等に亀裂を生じさせることなく、しかも安全性に優れているが、斯かる方法では、構造物からの所定荷重がジャッキに負荷されるまで免震装置を冷却し、その後、免震装置を基礎と構造物との間から引き出すために、免震装置に構造物からの荷重が作用していると、場合により、免震装置を基礎と構造物との間から簡単に引き出すことができなくなる虞があり、特許文献２で提案されている方法では、上部及び下部フランジに圧縮ボルトを螺合させるねじ孔を予め穿っておく必要があり、斯かるねじ孔が設けられていない上部及び下部フランジを具備した免震装置には、斯かる方法は、適用できない。
【０００８】
このような問題は、免震装置を下部構造物と上部構造物との間から除去する場合に限って生じるものではなく、免震装置が除去された下部構造物と上部構造物との間の部位に新たな免震装置を再設置する場合等にも生じ得るのである。
【０００９】
本発明は、前記諸点に鑑みてなされたものであって、その目的とするところは、基礎、橋脚等の下部構造物とビルを含む建物、橋梁等の上部構造物との間から免震装置を除去、即ち、引き出す又は押し出すことができなくなる虞を回避でき、しかも、免震装置の上部及び下部のフランジにねじ孔を設ける等の格別な細工を加えなくても、既存の免震装置を下部構造物と上部構造物との間から除去することができ又はそれらの間に新たな免震装置を設置することができる方法を提供することにある。
【課題を解決するための手段】
【００１０】
本発明は、弾性板と剛性板とが交互に積層された積層体を有していると共に下部構造物に対して上部構造物を支承している免震装置を当該下部構造物と上部構造物との間から除去する方法であって、下部構造物と上部構造物との間にジャッキを設置する一方、積層体を冷却し、このジャッキの設置と積層体の冷却とで上部構造物と免震装置との間に隙間が形成されるようにして、その後、下部構造物と上部構造物との間から免震装置を除去する方法にある。
【００１１】
本発明の方法によれば、ジャッキの設置と免震装置に熱収縮を生じさせる積層体の冷却とで上部構造物と免震装置との間に隙間が形成されるようにするために、下部構造物と上部構造物との間からの免震装置の除去を、免震装置の無負荷状態で行い得、下部構造物と上部構造物との間から除去することができなくなる虞を回避でき、しかも、除去すべき免震装置からジャッキへの上部構造物の荷重の支持の移行を、上部構造物に有害な歪みを生じさせないで行い得るために、上部構造物に亀裂等の不都合を生じさせることがない。
【００１２】
本発明の方法において、免震装置の除去において、免震装置と下部構造物及び上部構造物との固定の解除は、ジャッキの設置の前後、積層体の冷却前後のいずれで行われてもよいが、好ましい例では、少なくとも免震装置と上部構造物との固定の解除は、積層体の冷却前に行われる。
【００１３】
本発明の方法において、好ましい例では、少なくとも積層体をジャケットにより覆って、この積層体とジャケットとの間に冷却空気を供給して積層体を冷却する。
【００１４】
このように本発明の方法においては、冷却は、少なくとも積層体に対して行えばよいのであるが、免震装置の全体に対して行ってもよい。
【００１５】
また、本発明の方法においては、中央部に円柱状の鉛又は錫が配されている免震装置を下部構造物と上部構造物との間から除去するようになっていてもよい。
【００１６】
上記の方法によって免震装置が除去された下部構造物と上部構造物との間に新たな免震装置を再設置する本発明の方法は、当該上部構造物との間に隙間が形成されるように予め冷却されていると共に弾性板と剛性板とが交互に積層された積層体を有した新たな免震装置を配置し、この新たな免震装置と上部構造物との間の隙間の解消後に、下部構造物と上部構造物との間からジャッキを除去することにある。
【００１７】
斯かる再設置する本発明の方法において、新たな免震装置と上部構造物との間の隙間の解消は、新たな免震装置の設置場所の環境雰囲気下での放置で行わせてもよいが、これに代えて、新たな免震装置の周りに加温空気を供給して積極的に加温してもよく、この場合、冷却に用いたジャケットを用いて、ヒータ等の過熱器からの高温空気を新たな免震装置とジャケットとの間に供給して積層体を加温するようにしてもよく、このように強制的に新たな免震装置を加温することにより、作業効率を上げることができる。
【発明の効果】
【００１８】
本発明の方法によれば、免震装置を下部構造物と上部構造物との間から除去することができなくなる虞を回避でき、しかも、上部及び下部のフランジにねじ孔を設ける等の格別な細工を免震装置に加えなくても、既存の免震装置を下部構造物と上部構造物との間から除去することができ又はそれらの間に新たな免震装置を設置することができる。
【図面の簡単な説明】
【００１９】
【図１】図１は、本発明の好ましい例の説明図である。
【図２】図２は、本発明の好ましい例の説明図である。
【図３】図３は、本発明の好ましい例の説明図である。
【図４】図４は、本発明の好ましい例の説明図である。
【図５】図５は、本発明の好ましい例の説明図である。
【発明を実施するための形態】
【００２０】
以下、本発明及びその実施の形態を、図に示す好ましい具体例に基づいて説明する。なお、本発明は本具体例に何等限定されないのである。
【００２１】
図１から図５において、免震構造物１では、通常、基礎等の下部構造物２とビル等の上部構造物３との間に免震装置４が所定間隔をもって多数個配置されており、免震装置４により、下部構造物２に対して上部構造物３が支承されて、下部構造物２の地震等の振動に対して上部構造物３が免震されるようになっている。
【００２２】
各免震装置４は、特に図４に示すように、剛性の金属板製の円板状のフランジ５及び６と、弾性板としての円環状の複数のゴム板７及びゴム板７と共に積層されてそれぞれゴム板７に加硫接着された剛性板としての円環状の複数の金属板８を有していると共にフランジ５及び６に固着された積層体９と、下端がフランジ５に、上端がフランジ６にそれぞれ接触しかつ積層体９に取り囲まれて中央に配された円柱状の鉛部材１０とを具備しており、フランジ５が、下部構造物２に、フランジ６が、上部構造物３にそれぞれ複数のアンカーボルト又はボルト（以下、ボルトという）１３により固着されて下部構造物２と上部構造物３との間に設けられている。
【００２３】
免震装置４の一つを下部構造物２と上部構造物３との間から除去する場合、まず、図３に示すように、当該免震装置４に対するボルト１３を取り外しフランジ５及び６の下部構造物２及び上部構造物３への固着を解除し、次に、下部構造物２と上部構造物３との間であって除去しようとする免震装置４の近傍に油圧ジャッキ１５を配して、油圧ジャッキ１５により上部構造物３を下部構造物２に対して予備支持する。この場合、油圧ジャッキ１５による予備支持は、油圧ジャッキ１５の下端面１６と上端面１７とが下部構造物２の上面１８と上部構造物３の下面１９とに単に接触する程度であってもよいが、好ましくは上部構造３に有害な変形とならない程度に油圧ジャッキ１で荷重を支持させる。
【００２４】
次に、図４に示すように、ボルト１３が取り外された積層体９を含む免震装置４の周りを可撓性の伸縮自在なジャケット３１により覆い、ジャケット３１の円筒状の内周面３２と免震装置４の外周面３３とで形成される環状空間３４に約−３０度程度の冷却空気３５をジャケット３１の供給孔３６を介して供給し、供給される冷却空気３５に基づく冷却により積層体９及び円柱状鉛部材１０を含む免震装置４に熱収縮を生じさせて免震装置４の高さを低くし、免震装置４に負荷されていた上部構造物３からの荷重を順次油圧ジャッキ１５に移行させ、そして、この冷却を冷却前に免震装置４に負荷されていた上部構造物３からの全荷重が油圧ジャッキ１５に負荷され、更に、図５に示すように、上部構造物３と免震装置４との間に隙間３７が形成されるまで行う。免震装置４を冷却した冷却空気３５は、ジャケット３１の排出孔３８を介して環状空間３４外に排出され、当該冷却は冷却空気３５の循環により行うとよい。
【００２５】
隙間３７の形成後、必要に応じて電動式又は油圧式の牽引機構又は押出機構等を用いて免震装置４を下部構造物２と上部構造物３との間から横方向（水平方向）に引き出し又は押し出して、これにより下部構造物２と上部構造物３との間から免震装置４を除去する。
【００２６】
一つの免震装置４の除去後、除去する前に当該一つの免震装置４に負荷されていた上部構造物３の全荷重を油圧ジャッキ１５で支持させたまま、上部構造物３との間に隙間３７が形成されるように予め冷却された新たな免震装置４を準備し、この準備した予め冷却された新たな免震装置４を、上述のようにして免震装置４が除去された下部構造物２と上部構造物３との間に隙間３７をもって配置し、この配置後、新たな免震装置４を放置して新たな免震装置４の冷却状態を解除し、隙間３７の消失によるフランジ６の上部構造物３への接触で、ボルト１３によりフランジ５及び６の夫々を下部構造物２及び上部構造物３の夫々へ固着し、こうして新たな免震装置４を、免震装置４が除去された下部構造物２と上部構造物３との間に再設置し、その後、油圧ジャッキ１５を下部構造物２と上部構造物３との間から除去又は次に除去しようとする免震装置４の近傍に配置してもよい。
【００２７】
以上のような作業を他の全ての免震装置４に対して行うと、免震構造物１の全ての免震装置４を新たな免震装置に交換することができる。またこの作業は、除去及び交換しようとする免震装置４の一個毎に順番に行ってもよいが、複数個まとめて行ってもよい。
【００２８】
上記の方法によれば、隙間３７を形成するため、免震装置４の下部構造物２と上部構造物３との間からの除去、例えば横方向の引き出し又は押し出しを容易に行い得、その上、新たな免震装置４を上部構造物３との間に隙間３７が形成されるように予め冷却して下部構造物２と上部構造物３との間に設置するために、斯かる設置も容易に行い得、しかも、フランジ５及び６にねじ孔を設ける等の格別な細工を加えなくても、既存の免震装置４を下部構造物２と上部構造物３との間から除去することができ又はそれらの間に新たな免震装置４を設置することができ、加えて、上部構造物３の下面１９を局所的に過度に持ち上げることがないため、上部構造物３に有害な歪みが生じることがなく、したがって上部構造物３の下面１９等に亀裂など損傷を生じる虞がない。
【符号の説明】
【００２９】
１  免震構造物
２  下部構造物
３  上部構造物
４  免震装置
５、６  フランジ
７  ゴム板
８  金属板
９  積層体
１０  円柱状鉛部材
１３  ボルト
１５  油圧ジャッキ
３１  ジャケット
３５  冷却空気
３７  隙間
【図１】
2016084696.tif 000003
【図２】
2016084696.tif 000004
【図３】
2016084696.tif 000005
【図４】
2016084696.tif 000006
【図５】
2016084696.tif 000007